(57)【要約】  【課題】利用者の状況に関わらず利用者の安否を迅速に知らせることのできる技術を提供する。  【解決手段】無線端末１は、被災地域に関する情報を含む緊急災害通報を受信した場合に、自無線端末１の現在位置が、この緊急災害情報に含まれている情報により特定される被災地域に属しているか否かを判断し、属しているならば、安否に関する情報の入力画面を表示して、この入力画面を介して利用者から情報が入力されるのを待つ。そして、安否に関する情報が所定時間内に入力画面に入力された場合、この入力情報に基づいて安否情報を作成し、所定の連絡先に送信する。また、安否に関する情報が所定時間内に入力画面に入力されなかった場合、この所定時間内に利用者の自無線端末１に対する操作および歩行の少なくとも一方を検出したならば、入力画面が放置されているものの利用者は無事であると判断し、無事であることを示す安否情報を作成して所定の連絡先に送信する。【選択図】図１
2015090557.tif 000002
【特許請求の範囲】
【請求項１】
所定の連絡先に安否情報を送信する通信端末であって、
自通信端末の現在位置を取得する現在位置取得手段と、
自通信端末に対する利用者の操作を検出する操作検出手段と、
自通信端末を所持する前記利用者の歩行を検出する歩行検出手段と、
被災地域に関する情報を含む緊急災害通報を受信する緊急災害通報受信手段と、
前記緊急災害通報受信手段により前記緊急災害通報が受信された場合に、当該緊急災害通報に含まれている情報により特定される前記被災地域に、前記現在位置取得手段により取得された自通信端末の現在位置が属しているか否かを判断する所属判断手段と、
前記所属判断手段により自通信端末の現在位置が前記被災地域に属していると判断された場合に、安否に関する情報の入力画面を表示する入力画面表示手段と、
前記入力画面表示手段により表示された前記入力画面を介して前記利用者から受け付けた、前記安否に関する情報に基づいて、安否情報を作成する安否情報作成手段と、
前記安否情報作成手段により作成された安否情報を前記連絡先に送信する安否情報送信手段と、を備え、
前記安否情報作成手段は、
前記入力画面表示手段により前記入力画面が表示されてから所定時間内に、当該入力画面を介して前記利用者から前記安否に関する情報を受け付けなかった場合、当該所定時間内に、前記操作検出手段により当該利用者の操作が検出されているか、あるいは前記歩行検出手段により当該利用者の歩行が検出されているならば、当該利用者の無事を示す安否情報を作成する
ことを特徴とする通信端末。
【請求項２】
請求項１に記載の通信端末であって、
前記安否情報作成手段は、
前記入力画面表示手段により前記入力画面が表示されてから所定時間内に、当該入力画面を介して前記利用者から前記安否に関する情報を受け付けておらず、前記操作検出手段により当該利用者の操作が検出されておらず、かつ前記歩行検出手段により当該利用者の歩行も検出されていない場合、当該所定時間内に前記現在位置取得手段により取得された現在位置が、所定距離以上移動しているならば、当該利用者の安否確認中であることを示す安否情報を作成し、前記所定距離以上移動していないならば、当該利用者の緊急事態を示す安否情報を作成する
ことを特徴とする通信端末。
【請求項３】
請求項２に記載の通信端末であって、
前記安否情報作成手段は、
前記利用者の安否確認中であることを示す安否情報を作成してから所定期間内に、前記入力画面表示手段により表示された前記入力画面を介して前記利用者から前記安否に関する情報を受け付けなかった場合、
当該所定期間内に、前記操作検出手段により当該利用者の操作が検出されているか、あるいは前記歩行検出手段により当該利用者の歩行が検出されているならば、当該利用者の無事を示す安否情報を作成し、
当該所定時間内に、前記操作検出手段により当該利用者の操作が検出されておらず、前記歩行検出手段により当該利用者の歩行も検出されておらず、かつ前記現在位置取得手段により取得された現在位置が前記所定距離以上移動していないならば、当該利用者の緊急事態を示す安否情報を作成し、
当該所定時間内に、前記操作検出手段により当該利用者の操作が検出されておらず、前記歩行検出手段により当該利用者の歩行も検出されておらず、かつ前記現在位置取得手段により取得された現在位置が前記所定距離以上移動しているならば、当該利用者の安否確認中であることを示す安否情報を作成する
ことを特徴とする通信端末。
【請求項４】
通信端末を用いて所定の連絡先に安否情報を送信する安否連絡方法であって、
前記通信端末は、
緊急災害通報を受信した場合に、自通信端末の現在位置が、当該緊急災害情報に含まれている情報により特定される被災地域に属しているか否かを判断し、
自通信端末の現在位置が前記被災地域に属していると判断した場合に、安否に関する情報の入力画面を表示し、
前記入力画面を表示してから所定時間内に、前記安否に関する情報が前記入力画面に入力された場合に、当該入力された情報に基づいて安否情報を作成し、当該作成した安否情報を前記連絡先に送信し、
前記入力画面を表示してから所定時間内に、前記安否に関する情報が前記入力画面に入力されなかった場合に、当該所定時間内に利用者の自通信端末に対する操作および歩行の少なくとも一方を検知したならば、無事であることを示す安否情報を作成して、当該作成した安否情報を前記連絡先に送信する
ことを特徴とする安否連絡方法。
【発明の詳細な説明】
【技術分野】
【０００１】
本発明は、通信端末に関し、特に通信端末を用いて安否の連絡を行う技術に関する。
【背景技術】
【０００２】
特許文献１には、災害発生時において、被災者の安否確認を効率的に行えるようにして、通信トラヒックの増大を効果的に抑圧する技術が開示されている。この技術において、安否確認サーバは、利用者の利用者情報が登録された利用者情報データベースと、利用者の安否の連絡先情報が登録された連絡先情報データベースと、安否確認情報データベースと、を備えており、緊急情報が発生した場合に、この緊急情報から安否確認対象エリアを特定し、この安否確認対象エリアに存在する利用者の携帯端末に安否確認メールを送信して、利用者からの返信メールの受信を監視する。そして、返信メールの受信状況に基づいて安否確認情報を作成し、この安否確認情報を安否確認情報データベースに登録するとともに、連絡先情報データベースに登録された連絡先に送信する。
【先行技術文献】
【特許文献】
【０００３】
【特許文献１】特開２００３−１８６９８０号公報
【発明の概要】
【発明が解決しようとする課題】
【０００４】
しかしながら、特許文献１に記載の技術において、安否確認サーバは、利用者から返信メールが送られてこない場合に、それが、利用者に緊急事態が発生したためによるものなのか、それとも利用者が安否確認メールに気付かないまま放置しているためによるものなのかを判断できない。このため、利用者から返信メールが送られてこない場合に安否確認をできなかった。
【０００５】
本発明は上記事情に鑑みてなされたものであり、その目的は、利用者の状況に関わらず利用者の安否を迅速に知らせることのできる技術を提供することにある。
【課題を解決するための手段】
【０００６】
上記課題を解決するために、本発明において、通信端末は、被災地域に関する情報を含む緊急災害通報を受信した場合に、自通信端末の現在位置が、当該緊急災害通報に含まれている情報により特定される被災地域に属しているか否かを判断し、属しているならば、安否に関する情報の入力画面を表示して、この入力画面を介して利用者から情報が入力されるのを待つ。そして、所定時間内に安否に関する情報が入力画面に入力された場合、この入力情報に基づいて安否情報を作成し、所定の連絡先に送信する。また、所定時間内に安否に関する情報が入力画面に入力されなかった場合、この所定時間内に利用者の自通信端末に対する操作および歩行の少なくとも一方を検知したならば、無事であることを示す安否情報を作成して所定の連絡先に送信する。
【０００７】
例えば、本発明の通信端末は、所定の連絡先に安否情報を送信する通信端末であって、
自通信端末の現在位置を取得する現在位置取得手段と、
自通信端末に対する利用者の操作を検出する操作検出手段と、
自通信端末を所持する前記利用者の歩行を検出する歩行検出手段と、
被災地域に関する情報を含む緊急災害通報を受信する緊急災害通報受信手段と、
前記緊急災害通報受信手段により前記緊急災害通報が受信された場合に、当該緊急災害通報に含まれている情報により特定される前記被災地域に、前記現在位置取得手段により取得された自通信端末の現在位置が属しているか否かを判断する所属判断手段と、
前記所属判断手段により自通信端末の現在位置が前記被災地域に属していると判断された場合に、安否に関する情報の入力画面を表示する入力画面表示手段と、
前記入力画面表示手段により表示された前記入力画面を介して前記利用者から受け付けた、前記安否に関する情報に基づいて、前記安否情報を作成する安否情報作成手段と、
前記安否情報作成手段により作成された安否情報を前記連絡先に送信する安否情報送信手段と、を備え、
前記安否情報作成手段は、
前記入力画面表示手段により前記入力画面が表示されてから所定時間内に、当該入力画面を介して前記利用者から安否に関する情報を受け付けなかった場合、当該所定時間内に、前記操作検出手段により当該利用者の操作が検出されているか、あるいは前記歩行検出手段により当該利用者の歩行が検出されているならば、当該利用者の無事を示す安否情報を作成する。
【発明の効果】
【０００８】
本発明によれば、入力画面を表示してから所定期間内に、この入力画面を介して利用者から安否に関する情報を受け付けなかった場合、その期間内に利用者が通信端末を操作あるいは歩行したならば、利用者が入力画面に気付かないまま放置しているものと判断し、利用者の無事を示す安否情報を作成して所定の連絡先に送信する。このため、利用者の状況に関わらず安否情報を送信することが可能となり、利用者の安否を迅速に知らせることができる。
【図面の簡単な説明】
【０００９】
【図１】図１は、本発明の一実施の形態に係る安否情報通信システムの概略構成図である。
【図２】図２は、本発明の一実施の形態に係る安否情報通信システムの動作例を説明するためのシーケンス図である。
【図３】図３は、無線端末１の概略構成図である。
【図４】図４は、無線端末１の動作を説明するためのフロー図である。
【発明を実施するための形態】
【００１０】
以下に、本発明の一実施の形態について説明する。
【００１１】
図１は、本実施の形態に係る安否情報通信システムの概略構成図である。
【００１２】
図示するように、本実施の形態に係る安否情報通信システムは、複数の無線端末１−１、１−２（以下、単に無線端末１とも呼ぶ）と、緊急災害通報装置２と、を備えている。緊急災害通報装置２は、ＷＡＮ４に接続されており、無線端末１は、いずれかの無線基地局３−１、３−２（以下、単に無線基地局３とも呼ぶ）を介して、ＷＡＮ４に接続されている。緊急災害通報装置２は、地震、火災、事故等の災害が発生した場合に、被災地域に関する情報を含む緊急災害通報を同報送信する。無線端末１は、緊急災害通報を受信した場合に、この緊急災害通報に含まれている情報により特定される被災地域に自無線端末１の現在位置が属しているならば、自無線端末１の利用者の安否情報を作成して、この安否情報を、予め登録された連絡先に送信する。
【００１３】
図２は、本実施の形態に係る安否情報通信システムの動作例を説明するためのシーケンス図である。
【００１４】
緊急災害通報装置２は、地震、火災、事故等の災害発生に伴い、操作者から緊急災害通報作成操作を受け付けると（Ｓ１００）、この緊急災害通報作成操作に従い、被災地域に関する情報を含む所定フォーマットの緊急災害通報を作成する（Ｓ１０１）。そして、作成した緊急災害通報を同報送信する（Ｓ１０２）。
【００１５】
無線端末１は、緊急災害通報装置２から同報された緊急災害通報を受信すると、この緊急災害通報に含まれている情報から被災地域を特定する。そして、自無線端末１の現在位置が被災地域に属しているか否かの所属判断を行う（Ｓ１０３、Ｓ１０４）。ここでは、無線端末１−２が被災地域に属していないと判断し（Ｓ１０３）、無線端末１−１が被災地域に属していると判断したものとする（Ｓ１０４）。
【００１６】
無線端末１−１は、自無線端末１−１の現在位置が被災地域に属していると判断したならば、安否に関する情報を受け付けるための入力画面を表示し（Ｓ１０５）、この入力画面を介して利用者から、安否に関する情報が入力されるのを待つ。そして、安否に関する情報が利用者から入力されたならば、この入力情報を含む安否情報を作成して、予め登録された連絡先に送信する。
【００１７】
ただし、ここでは、入力画面を介して利用者から安否に関する情報が入力されることなく、入力画面の表示から所定時間（例えば３０分）の経過によりタイムアウトしたものとする（Ｓ１０６）。この場合、無線端末１−１は、この所定時間内に、利用者から何らかの操作を受け付けたことを検出したか、あるいは利用者の歩行を検出したかを調べる。少なくとも一方を検出している場合、入力画面が放置されているものの利用者は無事であると判断して、利用者の無事を示す安否情報を作成し、この作成した安否情報を、予め登録された連絡先に送信する。
【００１８】
ただし、ここでは、無線端末１−１は、入力画面の表示から所定時間内に、利用者による操作の受付を何ら検出しておらず、また利用者の歩行も検出していないとする（Ｓ１０７）。この場合、無線端末１−１は、入力画面の表示から所定期間内に自無線端末１−１の現在位置が所定距離（例えば５ｍ）以上移動しているか否かを調べる。そして、自無線端末１−１の現在位置が所定距離以上移動していない場合、利用者が身動きを取れない可能性があると判断して、利用者の緊急事態を示す安否情報を作成し、この作成した安否情報を、予め登録された連絡先に送信する。
【００１９】
ただし、ここでは、入力画面の表示から所定期間内に自無線端末１−１の現在位置が所定距離以上移動しているものとする（Ｓ１０８）。この場合、無線端末１−１は、利用者の安否を確認できないと判断して、利用者の安否確認中であることを示す安否情報を作成し（Ｓ１０９）、この作成した安否情報を、予め登録された連絡先（ここでは無線端末１−２）に送信する（Ｓ１１０）。また、無線端末１−１は、表示中の入力画面を介して利用者から、安否に関する情報が入力されるのをさらに待つ。そして、安否に関する情報が利用者から入力されたならば、この入力情報を含む安否情報を作成し、予め登録された連絡先に送信する。
【００２０】
ただし、ここでは、入力画面を介して利用者から安否に関する情報が入力されることなく、利用者の安否確認中であることを示す安否情報の送信から所定時間（例えば３０分）の経過によりタイムアウトしたものとする（Ｓ１１１）。この場合、無線端末１−１は、この所定時間内に、利用者から何らかの操作を受け付けたことを検出したか、あるいは利用者の歩行を検出したかを調べる。
【００２１】
ここでは、利用者の自無線端末１−１に対する操作および歩行の少なくとも一方を検出しているものとする（Ｓ１１２）。この場合、無線端末１−１は、入力画面が放置されているものの利用者は無事であると判断して、利用者の無事を示す安否情報を作成し（Ｓ１１３）、この作成した安否情報を、予め登録された連絡先（ここでは無線端末１−２）に送信する（Ｓ１１４）。
【００２２】
つぎに、本実施の形態に係る安否情報通信システムに用いる無線端末１の詳細を説明する。なお、緊急災害通報装置２は、既存の情報配信サーバを用いることができるので、その詳細な説明を省略する。
【００２３】
図３は、無線端末１の概略機能構成図である。
【００２４】
図示するように、無線端末１は、無線インターフェース部１０と、マンマシンインターフェース部１１と、現在位置検出部１２と、操作検出部１３と、歩行検出部１４と、緊急災害通報受信部１５と、所属判定部１６と、入力画面表示部１７と、安否情報作成部１８と、安否情報送信部１９と、を有する。
【００２５】
無線インターフェース部１０は、無線基地局３と無線通信するためのインターフェースである。
【００２６】
マンマシンインターフェース部１１は、利用者に情報を表示したり、利用者から各種操作を受け付けたりするためのインターフェースであり、例えばタッチセンサ機能付き液晶パネルで構成される。
【００２７】
現在位置検出部１２は、自無線端末１の現在位置を検出する。例えばＧＰＳ（Ｇｌｏｂａｌ  Ｐｏｓｉｔｉｏｎｉｎｇ  Ｓｙｓｔｅｍ）衛星から逐次送信されるＧＰＳデータを受信して、受信したＧＰＳデータに基づき自無線端末１の現在位置を検出する。
【００２８】
操作検出部１３は、利用者のマンマシンインターフェース部１１に対する操作の有無を検出する。
【００２９】
歩行検出部１４は、既存の歩行検出機能を用いて、自無線端末１を所持する利用者の歩行の有無を検出する。例えば、３次元加速度センサを備え、この３次元加速度センサによって検知されるＸＹＺ各方向における加速度の変化パターンが、予め登録された人間の歩行時におけるＸＹＺ各方向における加速度の変化パターンと整合する場合に、自無線端末１を所持する利用者の歩行を検出する。
【００３０】
緊急災害通報受信部１５は、緊急災害通報装置２から同報送信された緊急災害通報を、無線インターフェース部１０を介して受信する。
【００３１】
所属判定部１６は、緊急災害通報受信部１５が緊急災害通報を受信した場合に、この緊急災害通報に含まれている情報により特定される被災地域に、現在位置検出部１２により検出された自無線端末１の現在位置が属しているか否かを判定する。
【００３２】
入力画面表示部１７は、安否情報作成部１８の指示に従い、マンマシンインターフェース部１１に、利用者から安否に関する情報を受け付けるための入力画面を表示する。そして、この入力画面を介して利用者から受け付けた安否に関する情報を安否情報作成部１８に渡す。
【００３３】
安否情報作成部１８は、所属判定部１６により自無線端末１の現在位置が被災地域に属していると判定された場合に、入力画面表示部１７によってマンマシンインターフェース部１１に表示されている入力画面を介して利用者から受け付けた安否に関する情報、操作検出部１３によって検出された利用者のマンマシンインターフェース部１１に対する操作の有無、歩行検出部１４によって検出された利用者の歩行の有無等に基づいて、利用者の安否情報を作成する。
【００３４】
安否情報送信部１９は、安否情報作成部１８によって作成された安否情報を、無線インターフェース部１０を介して、予め登録された連絡先に送信する。ここで、連絡先は、図２に示すように他の無線端末１であってもよいし、あるいは安否情報を一元管理する装置等であってもよい。
【００３５】
図３に示す無線端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵと、メモリと、ＨＤＤ（Ｈａｒｄ  Ｄｉｓｋ  Ｄｒｉｖｅ）等の補助記憶装置と、ＮＩＣ（Ｎｅｔｗｏｒｋ  Ｉｎｔｅｒｆａｃｅ  Ｃｏｎｔｒｏｌｌｅｒ）等の通信インターフェースと、を備えたパーソナルコンピュータ等のコンピュータシステムにおいて、ＣＰＵが所定のプログラムを補助記憶装置からメモリ上にロードして実行することにより実現されるものでもよい。
【００３６】
図４は、無線端末１の動作を説明するためのフロー図である。このフローは、無線端末１が、緊急災害通報装置２より同報送信された緊急災害通報を受信することにより開始される。
【００３７】
まず、緊急災害通報受信部１５は、無線インターフェース部１０を介して受信した緊急災害通報に含まれている、被災地域を特定する情報を所属判定部１６に渡す。これを受けて、所属判定部１６は、現在位置検出部１２から自無線端末１の最新の現在位置を取得し、この現在位置が、緊急災害通報受信部１５から渡された情報により特定される被災地域に属しているか否かの所属判定を行う（Ｓ２００）。
【００３８】
所属判定部１６は、自無線端末１の最新の現在位置が被災地域に属していないと判定した場合（Ｓ２０１でＮＯ）、このフローを終了する。一方、自無線端末１の最新の現在位置が被災地域に属すると判定した場合（Ｓ２０１でＹＥＳ）、その旨を安否情報作成部１８に通知する。これを受けて、安否情報作成部１８は、入力画面表示部１７に入力画面の表示を指示する。
【００３９】
つぎに、入力画面表示部１７は、安否情報作成部１８の指示に従い、マンマシンインターフェース部１１に、安否に関する情報を利用者から受け付けるための入力画面を表示して（Ｓ２０２）、この入力画面を介して利用者から、安否に関する情報が入力されるのを待つ。そして、安否に関する情報を受け付けたならば、この安否に関する情報（受付情報）を安否情報作成部１８に渡す。また、安否情報作成部１８は、内蔵のタイマによる計測を開始する（Ｓ２０３）。
【００４０】
さて、安否情報作成部１８は、タイマの計測時間が所定時間（例えば３０分）に達してタイムアウトする前に（Ｓ２０５でＮＯ）、安否に関する情報を入力画面表示部１７から取得したならば（Ｓ２０４でＹＥＳ）、この安否に関する情報を含む安否情報を作成する。そして、無線インターフェース部１０を介して、予め登録された連絡先に、この安否情報を送信し（Ｓ２０８）、その後、このフローを終了する。
【００４１】
また、安否情報作成部１８は、安否に関する情報を入力画面表示部１７から取得することなく（Ｓ２０４でＮＯ）、タイマの計測時間が所定時間に達してタイムアウトしたならば（Ｓ２０５でＹＥＳ）、タイマの計測開始からタイムアウトするまでの間に、操作検出部１３によって、利用者のマンマシンインターフェース部１１に対する操作が検出されたか否か、あるいは歩行検出部１４によって自無線端末１を所持する利用者の歩行が検出されたか否かを調べる（Ｓ２０６）。
【００４２】
ここで、操作検出部１３によって利用者のマンマシンインターフェース部１１に対する操作が検出されたか、あるいは歩行検出部１４によって自無線端末１を所持する利用者の歩行が検出されたならば（Ｓ２０６でＹＥＳ）、安否情報作成部１８は、入力画面が放置されているが利用者は無事であると判断し、利用者の無事を示す安否情報を作成する。そして、無線インターフェース部１０を介して、予め登録された連絡先に、この安否情報を送信し（Ｓ２０９）、その後、このフローを終了する。
【００４３】
一方、操作検出部１３によって利用者のマンマシンインターフェース部１１に対する操作が検出されておらず、かつ歩行検出部１４によって自無線端末１を所持する利用者の歩行も検出されていないならば（Ｓ２０６でＮＯ）、安否情報作成部１８は、タイマの計測開始からタイムアウトするまでの間に現在位置検出部１２により検出された自無線端末１の現在位置の移動距離を算出する。そして、この移動距離が所定距離（例えば５ｍ）未満であるか否かを調べる（Ｓ２０７）。
【００４４】
ここで、移動距離が所定距離未満である場合（Ｓ２０７でＹＥＳ）、安否情報作成部１８は、利用者が身動きを取れない可能性があると判断し、利用者の緊急事態を示す安否情報を作成する。そして、無線インターフェース部１０を介して、予め登録された連絡先に、この安否情報を送信し（Ｓ２１０）、その後、このフローを終了する。
【００４５】
一方、移動距離が所定距離以上である場合（Ｓ２０７でＮＯ）、安否情報作成部１８は、利用者の安否を確認できないと判断し、利用者の安否確認中であることを示す安否情報を作成する。そして、無線インターフェース部１０を介して、予め登録された連絡先に、この安否情報を送信し（Ｓ２１１）、その後、タイマの計測値をリセットして（Ｓ２１２）、Ｓ２０３に戻る。
【００４６】
以上、本発明の一実施の形態を説明した。
【００４７】
本実施の形態において、無線端末１は、被災地域に関する情報を含む緊急災害通報を受信した場合に、自無線端末１の現在位置が、この緊急災害情報に含まれている情報により特定される被災地域に属しているか否かを判断し、属しているならば、安否に関する情報の入力画面を表示して、この入力画面を介して利用者から情報が入力されるのを待つ。そして、安否に関する情報が所定時間内に入力画面に入力された場合、この入力情報に基づいて安否情報を作成して、所定の連絡先に送信する。また、安否に関する情報が所定時間内に入力画面に入力されなかった場合、この所定時間内に利用者の自無線端末１に対する操作および歩行の少なくとも一方を検出したならば、入力画面が放置されているが利用者は無事であると判断し、無事であることを示す安否情報を作成して所定の連絡先に送信する。したがって、本実施の形態によれば、緊急災害通報の発信に応じて、利用者の状況に関わらず安否情報を送信することが可能となり、利用者の安否を迅速に知らせることができる。
【００４８】
また、本実施の形態において、無線端末１は、安否に関する情報の入力画面を表示してから所定時間内に、この入力画面を介して利用者から安否に関する情報を受け付けておらず、かつ利用者の自無線端末１に対する操作および歩行のいずれも検出していない場合、この所定時間内における自無線端末１の現在位置の移動距離が所定距離未満ならば、利用者が身動きを取れない可能性があると判断し、利用者の緊急事態を示す安否情報を作成して所定の連絡先に送信する。一方、この移動距離が所定距離以上ならば、利用者の安否を確認できないと判断し、利用者の安否確認中であることを示す安否情報を作成して所定の連絡先に送信する。したがって、本実施の形態によれば、利用者の状況に関わらず利用者の安否をより確実に知らせることができる。
【００４９】
また、本実施の形態において、無線端末１は、利用者の安否確認中であることを示す安否情報を作成し送信してから所定期間内に、安否に関する情報を利用者から受け付けなかった場合、この所定時間内に利用者の自無線端末１に対する操作および歩行の少なくとも一方を検出したならば、無事であることを示す安否情報を作成して所定の連絡先に送信する。一方、この所定時間内に利用者の自無線端末１に対する操作および歩行のいずれも検出しておらず、かつこの所定時間内における自無線端末１の現在位置の移動距離が所定距離未満ならば、緊急事態を示す安否情報を作成して所定の連絡先に送信し、この所定時間内に利用者の自無線端末１に対する操作および歩行のいずれも検出しておらず、かつこの所定時間内における自無線端末１の現在位置の移動距離が所定距離以上ならば、安否確認中であることを示す安否情報を作成して所定の連絡先に送信する。したがって、本実施の形態によれば、利用者の安否が確認されるまで安否情報の送信を継続するので、利用者の安否をさらに確実に知らせることができる。
【００５０】
なお、本発明は上記の実施の形態に限定されるものではなく、その要旨の範囲内で数々の変形が可能である。
【００５１】
例えば、上記の実施の形態において、無線端末１は、予め登録された複数の連絡先に安否情報を送信するようにしてもよい。また、災害の種別（地震、火災、事故等）に関する情報を緊急災害通報に含めておき、安否情報の連絡先を、緊急災害通報に含まれている災害の種別に応じて変更するようにしてもかまわない。また、利用者の緊急事態を示す安否情報には、現在位置検出部１２が検出した現在位置を示す情報を含めてもよい。
【符号の説明】
【００５２】
１、１−１、１−２：無線端末、２：緊急災害通報装置、  ３−１、３−２：無線基地局、  ４：ＷＡＮ、  １０：無線インターフェース部、  １１：マンマシンインターフェース部、  １２：現在位置検出部、  １３：操作検出部、  １４：歩行検出部、  １５：緊急災害通報受信部、  １６：所属判定部、  １７：入力画面表示部、  １８：安否情報作成部、  １９：安否情報送信部
【図１】
2015090557.tif 000003
【図２】
2015090557.tif 000004
【図３】
2015090557.tif 000005
【図４】
2015090557.tif 000006